(57)【要約】【課題】上部貯留タンクを大型にしないで済み、また、中継タンクのような部品を不要にし、コストを低減することができる遊技球処理装置を提供する。【解決手段】制御手段１００が上限の検知信号に基づき搬送手段４１の稼動を制御することで、上部貯留タンク３１内の遊技球が減少するようにし、制御手段１００が下限の検知信号に基づき開閉部材９２の開放を制御することで、上部貯留タンク３１内の遊技球が増加するようにして、上部貯留タンク３１内の遊技球が過不足しないようにした。【選択図】図１
2005052206.tif 000002
【特許請求の範囲】
【請求項１】
複数の遊技機を並設して成る遊技機島に設置され、各遊技機で使用される遊技球を処理するためのものであり、遊技機島上部および遊技機島下部に遊技球を貯留するための上部貯留タンクおよび下部貯留タンクがそれぞれ設置され、前記遊技機島に立設された揚送装置により前記下部貯留タンク内の遊技球を前記上部貯留タンクに揚送するようにした遊技球処理装置において、
前記上部貯留タンク内の遊技球を前記遊技機島上部で貯留した状態で遊技機島長手方向に搬送する搬送手段と、前記下部貯留タンク内の遊技球が下部貯留タンク外へ導かれる通路を開閉して、該通路を通った遊技球が前記揚送装置により揚送されるようにした開閉部材と、前記搬送手段および前記開閉部材を制御することで、前記上部貯留タンク内の遊技球が過不足しないようにした制御手段とを有することを特徴とする遊技球処理装置。
【請求項２】
複数の遊技機を並設して成る遊技機島に設置され、各遊技機で使用される遊技球を処理するためのものであり、遊技機島上部および遊技機島下部に遊技球を貯留するための上部貯留タンクおよび下部貯留タンクがそれぞれ設置され、前記遊技機島に立設された揚送装置により前記下部貯留タンク内の遊技球を前記上部貯留タンクに揚送するようにした遊技球処理装置において、
前記遊技機島上部で遊技球を貯留した状態で遊技機島長手方向に搬送する搬送手段と、前記下部貯留タンク内の遊技球が下部貯留タンク外へ導かれる通路を開閉して、該通路を通った遊技球が前記揚送装置により揚送されるようにした開閉部材と、前記上部貯留タンクに遊技球が所定上限量以上溜まった場合に、上限の検知信号を出力するとともに、遊技球が所定下限量以下に減った場合に、下限の検知信号を出力する上部貯留検出手段と、前記上限の検知信号に基づき前記搬送手段の稼動を制御する一方、前記下限の検知信号に基づき前記開閉部材の開放を制御することで、前記上部貯留タンク内の遊技球が過不足しないようにした制御手段とを有することを特徴とする遊技球処理装置。
【請求項３】
前記搬送手段に沿って設けられた補給手段と、該補給手段における遊技球の貯留量を検知する検出手段とを備え、
前記制御手段は、前記検出手段からの信号に基づき前記搬送手段の稼動を制御する制御手段とを有することを特徴とする請求項１または２に記載の遊技球処理装置。
【請求項４】
前記遊技機島下部には複数の下部貯留タンクが設置され、
前記制御手段は、下部貯留タンク内の遊技球が下部貯留タンク外へ導かれる場合に、前記制御手段によって開閉部材が開閉制御された制御履歴に基づき、該制御履歴が最も古い開閉部材を開放するようにしたことを特徴とする請求項１または２に記載の遊技球処理装置。
【発明の詳細な説明】
【０００１】
【発明の属する技術分野】
本発明は、複数の遊技機を並設して成る遊技機島に設置され、各遊技機で使用される遊技球を処理するためのものであり、遊技機島上部および遊技機島下部に遊技球を貯留するための上部貯留タンクおよび下部貯留タンクがそれぞれ設置され、前記遊技機島に立設された揚送装置により前記下部貯留タンク内の遊技球を前記上部貯留タンクに揚送するようにした遊技球処理装置に関する。
【０００２】
【従来の技術】
従来の遊技機島としては、上部タンク内よりオーバーフローした玉が中継タンク内に所定量貯留されるようになっている。上部タンク内のパチンコ玉の貯留量が所定値以下になると、シャッター装置が開放され、タンク内のパチンコ玉が揚送装置の下端に流下し、揚送装置により上方へ揚送され循環するようになる。上部タンク内のパチンコ玉が所定量以上になると、上部タンク内に流入されるパチンコ玉はオーバーフロー樋内に流出され、中継タンクから連結ホースを通ってタンクに戻される。タンクが満杯の場合、連結ホース内にパチンコ玉が詰まり中継タンクに貯留されるようになっているものがある（例えば、特許文献１参照。）。
【０００３】
【特許文献１】
特開平９−２７６５２６号公報
【０００４】
【発明が解決しようとする課題】
しかしながら、このような特許文献１に係る技術では、上部タンク内のパチンコ玉が所定量以上になっても、揚送装置がパチンコ玉を揚送し続けるようになっているために、多量のパチンコ玉を貯留できるように上部タンクを大型にする必要があり、また、パチンコ玉を揚送し続けることで上部タンクから溢れ出た玉を貯留するための中継タンクが必要になり、部品点数が増え、コストが嵩むという問題点があった。
【０００５】
本発明は、このような従来の問題点に着目してなされたもので、上部貯留タンクを大型にしないで済み、また、中継タンクのような部品を不要にし、コストを低減することができる遊技球処理装置を提供することを目的としている。
【０００６】
【課題を解決するための手段】
かかる目的を達成するための本発明の要旨とするところは、次の各項の発明に存する。
［１］複数の遊技機（２０）を並設して成る遊技機島（１０）に設置され、各遊技機（２０）で使用される遊技球を処理するためのものであり、遊技機島（１０）上部および遊技機島（１０）下部に遊技球を貯留するための上部貯留タンク（３１）および下部貯留タンク（７０）がそれぞれ設置され、前記遊技機島（１０）に立設された揚送装置（３０）により前記下部貯留タンク（７０）内の遊技球を前記上部貯留タンク（３１）に揚送するようにした遊技球処理装置において、前記上部貯留タンク（３１）内の遊技球を前記遊技機島（１０）上部で貯留した状態で遊技機島（１０）長手方向に搬送する搬送手段（４１）と、前記下部貯留タンク（７０）内の遊技球が下部貯留タンク（７０）外へ導かれる通路を開閉して、該通路を通った遊技球が前記揚送装置（３０）により揚送されるようにした開閉部材（９２）と、前記搬送手段（４１）および前記開閉部材（９２）を制御することで、前記上部貯留タンク（３１）内の遊技球が過不足しないようにした制御手段（１００）とを有することを特徴とする遊技球処理装置。
【０００７】
［２］複数の遊技機（２０）を並設して成る遊技機島（１０）に設置され、各遊技機（２０）で使用される遊技球を処理するためのものであり、遊技機島（１０）下部および遊技機島（１０）上部に遊技球を貯留するための下部貯留タンク（７０）および上部貯留タンク（３１）がそれぞれ設置され、前記遊技機島（１０）に立設された揚送装置（３０）により前記下部貯留タンク（７０）内の遊技球を前記上部貯留タンク（３１）に揚送するようにした遊技球処理装置において、前記遊技機島（１０）上部で遊技球を貯留した状態で遊技機島（１０）長手方向に搬送する搬送手段（４１）と、前記下部貯留タンク（７０）内の遊技球が下部貯留タンク（７０）外へ導かれる通路を開閉して、該通路を通った遊技球が前記揚送装置（３０）により揚送されるようにした開閉部材（９２）と、前記上部貯留タンク（３１）に遊技球が所定上限量以上溜まった場合に、上限の検知信号を出力するとともに、遊技球が所定下限量以下に減った場合に、下限の検知信号を出力する上部貯留検出手段（３３）と、前記上限の検知信号に基づき前記搬送手段（４１）の稼動を制御する一方、前記下限の検知信号に基づき前記開閉部材（９２）の開放を制御することで、前記上部貯留タンク（３１）内の遊技球が過不足しないようにした制御手段（１００）とを有することを特徴とする遊技球処理装置。
【０００８】
［３］前記搬送手段（４１）に沿って設けられた補給手段（５０）と、該補給手段（５０）における遊技球の貯留量を検知する検出手段（５５）とを備え、
前記制御手段（１００）は、前記検出手段（５５）からの信号に基づき前記搬送手段（４１）の稼動を制御する制御手段（１００）とを有することを特徴とする［１］または［２］に記載の遊技球処理装置。
【０００９】
［４］前記遊技機島（１０）下部には複数の下部貯留タンク（７０）が設置され、
前記制御手段（１００）は、下部貯留タンク（７０）内の遊技球が下部貯留タンク（７０）外へ導かれる場合に、前記制御手段（１００）によって開閉部材（９２）が開閉制御された制御履歴に基づき、該制御履歴が最も古い開閉部材（９２）を開放するようにしたことを特徴とする［１］または［２］に記載の遊技球処理装置。
【００１０】
次に、前記各項に記載された発明の作用について説明する。
前記［１］に記載の遊技球処理装置によれば、搬送手段（４１）を稼働することで、上部貯留タンク（３１）内の遊技球を遊技機島（１０）上部で貯留した状態で遊技機島（１０）長手方向に搬送することができる。それにより、上部貯留タンク（３１）内の遊技球が減少する。一方、下部貯留タンク（７０）内の遊技球が下部貯留タンク（７０）外へ導かれる通路を開閉部材（９２）で開放することで、通路を通った遊技球を揚送装置（３０）で上部タンクに揚送することができる。それにより、上部貯留タンク（３１）内の遊技球が増加する。
【００１１】
制御手段（１００）は、搬送手段（４１）および前記開閉部材（９２）をそれぞれ制御することで、上部貯留タンク（３１）内の遊技球を減少させたり、反対に増加させることができ、それにより、上部貯留タンク（３１）内の遊技球が過不足しないようにすることができる。
【００１２】
前記［２］に記載したように、上部検出手段（５５）は、上部貯留タンク（３１）に遊技球が所定上限量以上溜まった場合に、上限の検知信号を出力するとともに、遊技球が所定下限量以下に減った場合に、下限の検知信号を出力する。
【００１３】
制御手段（１００）は、上限の検知信号に基づき搬送手段（４１）の稼動を制御する。それにより、上部貯留タンク（３１）内の遊技球が減少する。一方、制御手段（１００）は、下限の検知信号に基づき開閉部材（９２）の開放を制御する。それにより、上部貯留タンク（３１）内の遊技球が増加する。すなわち、制御手段（１００）は、搬送手段（４１）の稼働や開閉部材（９２）の開放を制御することで、上部貯留タンク（３１）内の遊技球が過不足しないようにすることができる。
【００１４】
前記［３］に記載したように、搬送手段（４１）で搬送された遊技球は、搬送手段（４１）に沿って設けられている補給手段（５０）により、動力を使うことなく各遊技機（２０）まで効率良く分配される。ここで補給手段（５０）に遊技球が所定量以上溜まると、当該状況が検出手段（５５）によって検知され、該検出手段（５５）から検知信号が出力される。
【００１５】
そして、制御手段（１００）は、前記検出手段（５５）からの信号に基づき、前記搬送手段（４１）の稼動を制御する。それにより、遊技球の貯留状態に鑑みて搬送を適切に制御することが可能となり、遊技球の滞留や供給過剰それに搬送手段（４１）の無駄な駆動を防ぐと共に、遊技球を効率良く迅速に各遊技機（２０）に補給することができる。
【００１６】
前記［４］に記載したように、遊技機島（１０）には複数の下部貯留タンク（７０）が設置されている。下部貯留タンク（７０）内の遊技球を各遊技機（２０）に補給するために、下部貯留タンク（７０）内の遊技球を下部貯留タンク（７０）外へ導く場合には、制御手段（１００）が制御履歴が最も古い開閉部材（９２）を開放する。それにより、通路が開かれ、下部貯留タンク（７０）内の遊技球が下部貯留タンク（７０）外へ導かれる。遊技球が下部貯留タンク（７０）内に長く留まることがなく、各遊技機（２０）で有効に使用される。それにより、下部貯留タンク（７０）内で遊技球が錆びたり腐食したりすることを防止することができる。
【００１７】
【発明の実施の形態】
以下、図面に基づき本発明の一実施の形態を説明する。
図１〜図２０は本発明の一実施の形態を示している。
図１および図２に示すように、本実施の形態に係る遊技機島１０は、複数の遊技機２０を並設して成り、各遊技機２０を背中合わせに組み付ける島枠１０ａは、遊技場のフロア上に構築される。ここで遊技機２０は、ハンドル２０ａの回転操作により遊技盤面上に遊技球（パチンコ球）を打ち出して入賞を楽しむパチンコ機である。また、隣接する遊技機２０の間の隙間には、遊技媒体である遊技球を貸し出すための球貸機２１が配設されている。
【００１８】
図１に示すように、島枠１０ａのうち遊技機島下部は、フロア上に立設される筐体フレーム１１によりフロア面との間に下部空間を空けて配設される箱状枠形に形成されており、その内部は多量の遊技球を貯留する下部貯留タンク７０として構成されている。また、筐体フレーム１１の途中には、略水平に延びる天板１２が組み付けられており、天板１２上に延びる各筐体フレーム１１の上端間には、遊技機島長手方向に互いに平行に延びる島木１３が架設されている。
【００１９】
遊技機島上部である島木１３には、各遊技機２０毎に対応して区分けされた幕板１４が開閉可能に取り付けられている。この幕板１４の正面側には、対応する遊技機２０から収集される各種データの一部を表示できる機能を付加した多機能な呼出ランプ１５が取り付けられており、幕板１４の裏面側には、対応する遊技機２０や球貸機２１の各種動作や信号の送受信を検知したり監視するデータ収集装置１６が取り付けられている。呼出ランプ１５とデータ収集装置１６とは、幕板１４を間にして表裏に近接しており、幕板１４の厚み程度の極めて短い配線により連結されている。
【００２０】
遊技機島中部である天板１２上に、遊技機２０および球貸機２１は並設される。また、前後２列に並ぶ遊技機２０の背面間には、球貸機２１に取り込まれた紙幣を島端まで遊技機島長手方向に搬送する紙幣搬送装置２２と、同じく球貸機２１に取り込まれた硬貨を島端まで遊技機島長手方向に搬送する硬貨搬送装置２３とが、上下に離隔して並ぶように配設されている。また、遊技機島１０の一端には、前記紙幣搬送装置２２や硬貨搬送装置２３により島端まで搬送された紙幣と硬貨を分別して収納する金庫２４（図２参照）が設置されている。
【００２１】
図２に示すように、遊技機島上部には、本発明の根幹を成す遊技球補給装置４０と上部貯留タンク３１が設置されている。後述するが上部貯留タンク３１は、従来のものとは異なり小さい容量に形成されている。また、遊技機島１０の他端には、景品球計数機２５が設置されている。景品球計数機２５は、その景品球投入口２６から投入された遊技球を計数し、遊技場の管理コンピューターに計数結果を送信し、また計数結果を表示部に目視可能に表示したり、印刷したレシート等を払い出す装置である。
【００２２】
遊技機島１０の中央部には、前述した遊技機島下部の下部貯留タンク７０から導かれた遊技球を研磨しながら遊技機島上部の上部貯留タンク３１に揚送するための研磨揚送装置（揚送装置）３０が立設されている。研磨揚送装置３０は、具体的には例えば、上下方向に延ばして掛け渡した無端環状の揚送ベルトと、その搬送面に対向して張設した研磨ベルトとを備え、両ベルト間に挟持した遊技球を揚送ベルトの回転駆動に伴い研磨しながら揚送する装置である。
【００２３】
研磨揚送装置３０の下部には、下部貯留タンク７０から供給される遊技球を受け入れる球導入口３０ａが設けられており、上部にある排出口（図示せず）は、上部貯留タンク７０内に遊技球を排出する状態に設けられている。なお、本実施の形態における研磨揚送装置３０は、研磨装置と揚送装置を兼用するように構成したものであるが、例えば、揚送装置とは別に遊技球を研磨する研磨装置を遊技機島１０の適所に配設してもかまわない。
【００２４】
遊技球補給装置４０は、前記研磨揚送装置３０で揚送されて上部貯留タンク３１に貯留された遊技球を、該遊技球補給装置４０自体でも貯留するような状態で各遊技機２０まで搬送して補給するための装置である。なお、遊技機２０が有価価値カード専用のＣＲ機であって、球貸機２１がカードユニットである場合、遊技球補給装置４０は各遊技機２０にのみ遊技球を補給するが、遊技機２０がＣＲ機以外の機種であって、球貸機２１から遊技球が貸し出される場合、各遊技機２０のみならず各球貸機２１にも遊技球を補給するように構成されることになる。本実施の形態では、前者の場合を例に説明する。
【００２５】
図１および図２に示すように、遊技球補給装置４０は、遊技機島上部で遊技球を貯留した状態で遊技機島長手方向に搬送する搬送手段４１を有する。搬送手段４１は、前記研磨揚送装置３０の上端部を起点として各遊技機２０の上方に沿って延ばして設置した搬送路４２内に、該搬送路４２内で遊技球を多重に積層可能な状態で動力により搬送する駆動体であるコイルバネ４５を設けて成る。
【００２６】
ここで１本ずつ組み合わされる搬送路４２とコイルバネ４５が１組の搬送ユニットを成し、遊技機島上部において複数の搬送ユニットが横一列に隣接し合い平行に延びる状態に並設されている。本実施の形態では、遊技機島１０のほぼ中央に立設された研磨揚送装置３０を間にして、遊技機島１０の両側にそれぞれ３組ずつの搬送ユニットが左右対称に延びるように配設されている。
【００２７】
すなわち、図３において、遊技機島１０の研磨揚送装置３０より左側には、互いに長さの異なる３組の搬送ユニット４１ａ，４１ｂ，４１ｃが横一列に並設され、遊技機島１０の研磨揚送装置３０より右側には、同様に３組の搬送ユニット４０ｄ，４０ｅ，４０ｆが横一列に並設されている。さらに、各搬送ユニット４１ａ〜４１ｆに沿って、それぞれ搬送手段４１により搬送された遊技球を受け入れて、各遊技機２０に分配するための補給手段５０が設けられている。以下、遊技機島１０の左側半分を主に説明する。
【００２８】
搬送手段４１は、搬送路４２の全長に亘って、駆動体であるコイルバネ４５を回転可能な状態に設けて成る。ここで搬送路４２は、例えば、下側が円形で上側が平らに開口し、上側の開口部分を細幅状の透明の平板蓋で閉じるようなＵ字形断面としたり、あるいは円形断面の丸パイプから構成しても良い。何れの形状であっても、コイルバネ４５を収める円形部分の寸法は、コイルバネ４５の外径より若干大きめに設定して自由に回転できる形状とする。
【００２９】
コイルバネ４５は、金属線材を螺旋状に曲げて形成したものであり、コイルバネ４５の内径は、その内側に遊技球が多重に積層可能な大きさに設定されている（図１参照）。それにより、コイルバネ４５の内側に導入された遊技球は、コイルバネ４５の内周側からピッチ間の間隙に一部が入り込み、その上に多重に積層可能な状態で搬送路４２に沿って搬送されるようになっている。
【００３０】
図２〜図４に示すように、搬送路４２の始端側は、上部貯留タンク３１の内部に連通して研磨揚送装置３０の上端部に対向する位置に配設され、また、搬送路４２の終端側は、島端側に向けて延ばされた所定の位置に配設されている。搬送路４２の始端側は、上向きに開口した球入口部が開設され、搬送路４２の終端側には、その下側が切り欠かれて球出口部が開設されている。
【００３１】
コイルバネ４５の始端側は、前記搬送路４２の始端側の内部で自由に回転可能に配されている。一方、コイルバネ４５の終端側は、前記搬送路４２の終端側よりも島端側に延出して、駆動モータ４９に連結されている。駆動モータ４９は、コイルバネ４５をその始端側から終端側へ遊技球を搬送する方向に回転させる動力源である。
【００３２】
図２〜図４に示すように、搬送手段４１を成す各搬送ユニット４１ａ〜４１ｃは、それぞれ全長が所定長さずつ異なる大きさに形成されており、各搬送ユニット４１ａ〜４１ｃは、各遊技機２０を隣接し合う所定数ずつグループ化した補給単位毎にそれぞれ個別に対応するように設定されている。ここで異なる「大きさ」とは、全長（長さ）のみならず、断面積や全体の容積をも含む概念である。
【００３３】
すなわち、各搬送ユニット４１ａ〜４１ｃの始端側を、それぞれ前記研磨揚送装置３０を起点として揃えて配置し、遊技機島長手方向に所定長さおきに分散して配置される各搬送ユニット４１ａ〜４１ｃの終端側に、各終端側の下方付近にそれぞれ位置する前記各補給単位毎に対応して、各補給単位の遊技機２０に遊技球を補給する補給手段５０が設けられている。
【００３４】
詳しく言えば、図２において、遊技機島１０の左側半分の遊技機島上部に設置された３組のうち、全長が最も短い搬送ユニット４１ａとその終端側の補給手段５０は、島片面側にて研磨揚送装置３０から島端に向かって数えて４台目までで、前後２列で計８台の遊技機２０をグループ化した第１補給単位に対応している。この搬送ユニット４１ａとその終端側の補給手段５０の詳細は図５に示す。
【００３５】
また、３組のうち中間の長さの搬送ユニット４１ｂとその終端側の補給手段５０は、島片面側にて研磨揚送装置３０から島端に向かって数えて５台目から８台目までで、前後２列で計８台の遊技機２０をグループ化した第２補給単位に対応している。この搬送ユニット４１ｂとその終端側の補給手段５０の詳細は図６に示す。
【００３６】
さらに、３組のうち全長が最も長い搬送ユニット４１ｃとその終端側の補給手段５０は、島片面側にて研磨揚送装置３０から島端に向かって数えて９台目から島端の１２台目までで、前後２列で計８台の遊技機２０をグループ化した第３補給単位に対応している。この搬送ユニット４１ｃとその終端側の補給手段５０の詳細は図７に示す。
【００３７】
補給手段５０は、それぞれ対応する搬送手段４１により搬送された遊技球を受け入れ一時貯留する貯留部５１と、該貯留部５１よりその下方付近に位置する各遊技機２０に向かって傾斜して延び、前記貯留部５１の遊技球を各遊技機２０に補給する補給樋５２とから成る。貯留部５１は、前記搬送路４２の終端側にある球出口部の真下に配置され、上面側が遊技球を受け入れ可能に開口した平箱状に形成されている。
【００３８】
貯留部５１は、所定量の遊技球を一時貯留できる容量を有し、その底面部は、略中央を境にそれぞれ左右に向かってなだらかに下方に傾斜している。貯留部５１の底面部の左右両端には、遊技機島長手方向と平行な左右方向に向かいそれぞれ分岐して延びる一対の補給樋５２，５２の上流端が連通接続されている。一対の補給樋５２，５２は、それぞれ下方に傾斜して遊技球を流下させるようになっており、前記補給単位のうち半分（前後４台）の遊技機２０に球を補給するように構成されている。
【００３９】
すなわち、各補給樋５２の途中は、それぞれ遊技球が落下する分配経路を介して各遊技機２０に接続されている。詳しくは、各補給樋５２の途中箇所に、その真下に位置する遊技機２０に対応した補給シュート５３が設けられており、補給シュート５３と遊技機２０とは、落下する遊技球を導くジャバラ５４で連通するように接続されている。遊技機２０の背面側上部には、ジャバラ５４の下端が接続された賞球タンク５８が設けられている。
【００４０】
図２および図５に示すように、各補給樋５２の上流端には、補給樋５２に遊技球が所定量以上溜まった場合に検知信号を出力する検出手段として、補給球検出センサ５５が設けられている。補給樋５２では、その下流端から上流端にかけて遊技球が溜まってくるが、補給球検出センサ５５が位置する上流側まで遊技球が溜まると、補給球検出センサ５５から検知信号が出力されるようになっている。補給球検出センサ５５は、例えば、被検知物たる遊技球との距離に応じて動作するフォトセンサ等の近接センサや、遊技球の接近を検知する磁気センサ等に構成され、補給樋５２の底面下側にて遊技球とは直接は接触しないように配設されている。
【００４１】
詳しく言えば、補給球検出センサ５５は、補給樋５２の上流側を遊技球が流下する際に、断続的にＯＮとなる一方、補給樋５２が遊技球でいっぱいとなり、補給樋５２の上流側まで遊技球が滞留したりすると継続してＯＮとなり、かかるＯＮ状態が例えば２秒以上継続した際に、後述する制御手段１００に対して補給樋５２の球貯留量がいっぱいである旨の検知信号を出力するように設定されている。
【００４２】
ここで説明上の必要に応じて、前記各搬送ユニット４１ａ〜４１ｃを、それぞれ第１〜第３を付して互いに区別した上で、第１搬送ユニット４１ａの２つの補給球検出センサ５５を、研磨揚送装置３０に近い側から第１補給球検出センサ５５ａ，５５ｂとし、第２搬送ユニット４１ｂの２つの補給球検出センサ５５を、研磨揚送装置３０に近い側から第２補給球検出センサ５５ｃ，５５ｄとし、第３搬送ユニット４１ｃの２つの補給球検出センサ５５を、研磨揚送装置３０に近い側から第３補給球検出センサ５５ｅ，５５ｆとする。
【００４３】
なお、遊技機島１０の研磨揚送装置３０より右側半分についても、前記各搬送ユニット４１ｄ〜４１ｆを、それぞれ第４〜第６を付して互いに区別した上で、前記同様な順番で補給球検出センサ５５を、第４補給球検出センサ５５ｇ，５５ｈ、第５補給球検出センサ５５ｉ，５５ｊ、それに第６補給球検出センサ５５ｋ，５５ｌとする。なお、これらのうち一部は図示省略する。
【００４４】
また、前記貯留部５１には、前記補給樋５２も含めて貯留部５１が遊技球で満杯になった際に、該貯留部５１から溢れ出る遊技球を遊技機島下部にある下部貯留タンク７０まで落下させるオーバーフロー管（経路）５６の球入口５６ａが連通されている。図５〜図６に示すように、球入口５６ａは、そのフランジが貯留部５１の底面よりも上方に突出しており、貯留部５１内で数段に重なり溜まった遊技球が入り込むように設定されている。
【００４５】
図１に示すように、オーバーフロー管５６は、背中合わせの遊技機２０の間を通るように垂下され、下端口５６ｂが、一対の天板１２の間の隙間１２ａの上方位置、すなわち下部貯留タンク７０の開口上面を臨むように配置されている。また、オーバーフロー管５６の上端側には、該オーバーフロー管５６に遊技球が所定量以上溜まった場合に検知信号を出力するオーバーフロー検出センサ（手段）５７が設けられている。
【００４６】
オーバーフロー管５６では、遊技球の排出先である下部貯留タンク７０が球が満杯になると、その下端口５６ｂから球入口にかけて遊技球が溜まってくるが、オーバーフロー検出センサ５７が位置する上端側まで遊技球が溜まると、オーバーフロー検出センサ５７から検知信号が出力されるようになっている。オーバーフロー検出センサ５７は、前記補給球検出センサ５５と同様に、例えば、被検知物たる遊技球との距離に応じて動作するフォトセンサ等の近接センサや、遊技球の接近を検知する磁気センサ等により構成され、オーバーフロー管５６の外周外側にて遊技球とは直接は接触しないように配設されている。
【００４７】
詳しく言えば、オーバーフロー検出センサ５７も、オーバーフロー管５６の上端側を遊技球が落下する際に、断続的にＯＮとなる一方、オーバーフロー管５６が遊技球でいっぱいとなり、オーバーフロー管５６の上端側まで遊技球が滞留したりすると継続してＯＮとなり、かかるＯＮ状態が例えば２秒以上継続した際に、後述する制御手段１００に対してオーバーフロー管５６の球貯留量がいっぱいである旨の検知信号を出力するように設定されている。
【００４８】
また、上部貯留タンク３１にも、該上部貯留タンク３１内における球貯留量を段階的に検出する３つの上部貯留検出センサ（手段）３３Ｈ，３３Ｍ，３３Ｌが上下に所定間隔おきに並ぶように設けられている。上部貯留検出センサ（手段）３３Ｈ，３３Ｍ，３３Ｌは、前述した補給球検出センサ５５やオーバーフロー検出センサ５７と同様に、それぞれ被検知物たる遊技球との距離に応じて動作する近接スイッチや磁気センサ等により構成されている。
【００４９】
補給樋５２では、その底面側から上面側にかけて遊技球が順次溜まってくるが、最も低い位置にある上部貯留検出センサ３３Ｌまで遊技球が溜まると、この上部貯留検出センサ３３Ｌから検知信号が出力され、中間位置にある上部貯留検出センサ３３Ｍまで遊技球が溜まると、この上部貯留検出センサ３３Ｍからも検知信号が出力され、最も高い位置にある上部貯留検出センサ３３Ｈまで遊技球が溜まると、この上部貯留検出センサ３３Ｈからも検知信号が出力されるようになっている。
【００５０】
このように各上部貯留検出センサ３３Ｈ，３３Ｍ，３３Ｌのうち、継続してＯＮ状態となり検知信号が出力されるかにより、上部貯留タンク３１内の遊技球貯留量のレベルを知ることができる。上部貯留タンク３１における遊技球の貯留量であるが、遊技機島上部における遊技球は前記遊技球補給装置４０によっても貯留された状態で搬送され、前記上部貯留検出センサ３３Ｈ、３３Ｍ間に常に遊技球が貯留されている状態に監視（制御）されているので、従来のように上部貯留タンク３１に集中的に遊技球を貯める必要はなく、それだけ容量も小型化できるようになっている。
【００５１】
図８において、前述した遊技球補給装置４０の各駆動モータ４９、各補給球検出センサ５５、各オーバーフロー検出センサ５７、それに各上部貯留検出センサ３３Ｈ，３３Ｍ，３３Ｌは、それぞれ信号線により制御手段１００に接続されている。制御手段１００は、遊技機島１０における遊技球の補給・回収を集中的に管理するものであり、具体的にはインターフェース、ＣＰＵ、ＲＡＭ、ＲＯＭ等により構成されたマイクロコンピューターから成る。
【００５２】
制御手段１００は、各補給球検出センサ５５、各オーバーフロー検出センサ５７、各上部貯留検出センサ３３Ｈ，３３Ｍ，３３Ｌからの検知信号に応じて、遊技球補給装置４０における搬送手段４１の駆動を制御するように設定されている。ここで搬送手段４１は、各搬送ユニット４１ａ，４１ｂ…毎に、それぞれに対応する補給手段５０から検出信号や上部貯留タンク３１からの検出信号に基づいて、それぞれ個別に駆動制御されるようになっている。
【００５３】
具体的には制御手段１００は、各搬送ユニット４１ａ，４１ｂ…毎に、補給球検出センサ５５からの検知信号の入力がない場合に、当該搬送ユニット４１ａ，４１ｂ…の駆動モータ４９に給電してコイルバネ４５を回転駆動させるように設定されている。ここで各搬送ユニット４１ａ，４１ｂ…には、それぞれ２つずつ補給球検出センサ５５があるが、制御手段１００は、各搬送ユニット４１ａ，４１ｂ…毎に、２つの補給球検出センサ５５のうち少なくとも何れか一方からの検知信号の入力がない場合に、その駆動モータ４９に給電してコイルバネ４５を回転駆動させるようになっている。
【００５４】
また、制御手段１００は、各搬送ユニット４１ａ，４１ｂ…毎に、前記上部貯留検出センサ３３のうち最上位にある上部貯留検出センサ３３Ｈからの検知信号の入力があり、対応するオーバーフロー検出センサ５７からの検知信号の入力がない場合に、その駆動モータ４９に給電してコイルバネ４５を回転駆動させ、上部貯留検出センサ３３Ｈからの検知信号の入力がなくなった場合に、駆動モータ４９への給電を停止してコイルバネ４５を停止させるように設定されている。以上のような制御手段１００による搬送手段４１の詳細な制御については後述する。
【００５５】
さらにまた、遊技機島下部には、図１および図２に示すように、前記下部貯留タンク７０のほか、各遊技機２０からアウト遊技球を研磨揚送装置３０へ移動するための遊技球移動装置８０が配されている。遊技球移動装置８０は、下部貯留タンク７０の下方に配され、各遊技機２０から排出されたアウト遊技球を研磨揚送装置３０へ最優先して案内するように配された案内通路８３を備えている。遊技機２０の下流部には、アウト遊技球を回収するためのアウト遊技球回収器２０１が設けられ、アウト遊技球回収器２０１の下流にはアウト遊技球を計数するためのアウト遊技球計数器２０２が配されている。
【００５６】
図１および図９に示すように、アウト遊技球計数器２０２には、遊技機２０から排出されたアウト遊技球が流れる流路管２７の一端側が連結されている。流路管２７は密着コイルばね形状のジャバラ管である。流路管２７の他端側は、一対の天板１２の間の隙間１２ａおよび下部貯留タンク７０内を通って遊技球移動装置８０の案内通路８３に延ばされている。案内通路８３は、その案内通路８３に各流路管２７の他端側がそれぞれ連結されることで、各流路管２７を流れるアウト遊技球の全部が漏れなく案内通路８３に流れ込むように形成されている。
【００５７】
案内通路８３は略凹字状の溝断面形状に形成されていて、底部８３ａおよび両側壁部８３ｂを有している。両側壁部８３ｂにはホルダー部材８３ｃが設けられ、ホルダー部材８３ｃには、流路管２７の他端側が嵌合した状態で固定されている。案内通路８３の内部には、流路管２７の他端側から排出されたアウト遊技球が流れ込む流入ステージ８３ｄが形成されている。流入ステージ８３ｄは、両側壁部８３ｂの間に架設されるように配され、流入ステージ８３ｄの中央部には、両側の流路管２７から流れ込んだアウト遊技球の互いの衝突を防止する仕切壁８３ｅが形成されている。また、案内通路８３の両側壁部８３ｂの間の隙間に下部貯留タンク７０内の遊技球が開閉装置９０を介して流れ込むように成っている。開閉装置９０は制御手段１００によって開閉制御される。下部貯留タンク７０、開閉装置９０および制御手段１００によって遊技球処理装置が構成されている。遊技球処理装置の詳細については後述する。
【００５８】
遊技球移動装置８０は、案内通路８３内でアウト遊技球を動力により搬送する駆動体を備えている。駆動体は、案内通路８３内のアウト遊技球を略水平方向へ強制的に搬送するものであり、複数のベルトコンベア８１、８２を備えている。すなわち、遊技客が使用したアウト遊技球を最優先して研磨揚送装置３０へ移送するように成っている。また、遊技球移動装置８０は、制御手段１００によって、下部貯留タンク７０内の遊技球が開閉装置９０を介して流れ込み、流れ込んだ遊技球が研磨揚送装置３０へ移動するようにも構成されている。
【００５９】
図１０および図１１に示すように、各ベルトコンベア８１、８２は、その張り側が案内通路８３の中を通る一方、その弛み側が案内通路８３の外を通るようにして原動プーリ８４と従動プーリ８５とに巻き掛けられている。各ベルトコンベア８１、８２の張り側は案内通路８３の底部８３ａに沿うようにして配策されている。また、各ベルトコンベア８１、８２の弛みをとるためのテンションプーリ８６が備えられている。原動プーリ８４と駆動モータ８７の出力プーリ８８とに伝達ベルト８９が巻き掛けられている。また、従動プーリ８５の回転軸８５ａは、原動プーリ８４の回転軸との間の距離を調整するための位置調整手段８５ｂを介して支持されている。
【００６０】
複数のベルトコンベア８１、８２は、複数列になるようにそれぞれ配されている。複数列のベルトコンベア８１、８２でアウト遊技球を移動する場合と、ベルトコンベア８１、８２の何れかの単数列で移動する場合とでは、アウト遊技球の移動速度が異なるように制御手段１００によって制御される。また、複数のベルトコンベア８１、８２は、アウト遊技球および下部貯留タンク７０内の遊技球を移動する場合には、高速で運転（駆動）され、アウト遊技球のみを移動する場合には、低速で運転されるように制御手段１００によって制御される。
【００６１】
さらに、複数列のベルトコンベア８１、８２の何れか１つの列のベルトコンベアが破断したときに、破断したベルトコンベアにそのベルトコンベアに対し隣接する他の列のベルトコンベアを連結して運転（駆動）することで、破断したベルトコンベアを回収することができるように形成されている。
【００６２】
下部貯留タンク７０は、遊技機島１０の中央部に配された研磨揚送装置３０を中心にして遊技機島１０の左右両側に３つずつ連設されている。各下部貯留タンク７０は、その底部７１の中央へ向かって遊技球が流れるように形成されている。各下部貯留タンク７０の底部７１の中央部には、排出口７２がそれぞれ開設され、各排出口７２を開閉することで、下部貯留タンク７０内から遊技球移動装置８０への遊技球の流れを制御するための開閉装置９０がそれぞれ配されている。開閉装置９０は、本体ケース９１と、本体ケース９１の内部に配された開閉部材９２とを備えている。開閉部材９２は、本体ケース９１の内部で所定の姿勢になることで、排出口７２を開閉して、遊技球が排出口７２から本体ケース９１の内部に流れ込み本体ケース９１の外部へ排出されるのを制御するように形成されている。
【００６３】
次に、下部貯留タンク７０、遊技球移動装置８０および開閉装置９０の形状、構造並びに、これらの位置関係について具体的に説明する。図１、図１２〜図１４に示すように、下部貯留タンク７０の底部７１は、遊技球が底部７１の中央部に向かって集まるように傾斜している。底部７１の中央部には、一対の遊技球用通路が配されている。遊技球用通路は、下部貯留タンク７０内の遊技球が一対の排出口である排出口７２にそれぞれ導かれるように形成されている。遊技球用通路は、路面である底部７１と、天井である圧力部材７３と、両側の壁部材７６とから構成されている。
【００６４】
圧力部材７３は、中央から両端に向かって下方に傾斜した屋根形に形成されている。圧力部材７３は、下部貯留タンク７０内で多層になって貯留される遊技球の圧力に耐えられるように、また、遊技球が１層になって前記遊技球用通路に流れるように構成されている。そのため、圧力部材７３は下部貯留タンク７０の底部７１から所定の高さ位置に設置され、また、圧力部材７３の両端には下方に折り曲げられるようにしてフランジ部７５が形成されている。
【００６５】
開閉装置９０の本体ケース９１は、一対の排出口７２の間に配されている。本体ケース９１は、下部貯留タンク７０の底部７１の中央部に開設した開口に嵌め込まれ、一対の排出口７２から遊技球がそれぞれ流れ込む流入部になっている。排出口７２は、本体ケース（流入部）９１の入口縁と、圧力部材７３と、両側の壁部材７６とで囲まれた開口である。本体ケース９１の底部９１ａには、本体ケース９１内に流れ込んだ遊技球が遊技球移動装置８０の案内通路８３内に排出されるように連通口９１ｂが開設されている。
【００６６】
開閉装置９０の開閉部材９２は、排出口７２から流れ込む遊技球を受け入れられるように容器状に形成され、底部９２ｂ、両側壁９２ｃ、正面壁９２ｄおよび背面壁９２ｅを備えている。開閉部材９２の両側壁９２ｃは、一対の排出口７２にそれぞれ対応して配された一対の堰部９２ａを備えている。
【００６７】
開閉部材９２の底部９２ｂ、正面壁９２ｄまたは背面壁９２ｅの少なくとも１つには、容器状の開閉部材９２内に受け入れた遊技球が本体ケース（流入部）９１の底部９１ａに向かって流れ出す流出口９２ｆが開設されている。したがって、遊技球が排出口７２から開閉部材９２内に一時的に受け入れられ、開閉部材９２の流出口９２ｆから本体ケース（流入部）９１の底部９１ａに一旦落ちて、本体ケース９１の連通口９１ｂから案内通路８３に流れ込むことで、遊技球が排出口７２から案内通路８３に流れ込むときの衝撃が緩和されるように構成されている。
【００６８】
開閉部材９２は、交互に傾くように可動するものである。開閉部材９２は、枢軸９１ｃを中心にして、一対の堰部９２ａが一対の排出口７２をそれぞれ閉じた排出口閉塞姿勢（図１２ａに示す姿勢）と、排出口閉塞姿勢から一対の排出口７２の方へ交互に傾くことで一対の堰部９２ａが一対の排出口７２を交互に開いて、開いた排出口７２から流れ込んだ遊技球が開閉部材９２内に受け入れられ前記流出口９２ｆから排出されるようにした一部排出口開放姿勢（図１２ｂ、ｃにそれぞれ示す姿勢）とに揺動可能に配されている。
【００６９】
開閉部材９２を揺動するための動力源である電動モータ９６と、電動モータ９６により正逆回転するスクリュー部材９７と、スクリュー部材９７に螺合するナット部材９８と、電動モータ９６の動力を開閉部材９２に伝えるための動力伝達部材９９と、ナット部材９８の移動を検出するための移動検出部９９ｃとを備えている。動力伝達部材９９は前記枢軸９１ｃに基端部９９ａが固定されている。動力伝達部材９９の先端部９９ｂはナット部材９８側へ延ばされ、ナット部材９８の被係合溝９８ａに係合していて、電動モータ９６の始動によりスクリュー部材９７が正転あるいは逆転してナット部材９８がスクリュー部材９７の回転軸方向に移動すると、開閉部材９２と一体的に揺動するように配されている。
【００７０】
開閉部材９２が排出口閉塞姿勢にあるとき、ナット部材９８は、移動検出部９９ｃの検出部中央９９Ｍに位置し、電動モータ９６の正転駆動により、ナット部材９８がスクリュー部材９７上を検出部左９９Ｌに向けて移動する。このとき、開閉部材９２は右に傾斜し、開閉部材９２は一部排出口開放姿勢の状態となり、排出口７２の一方が開くようになる。次に、ナット部材９８は、電動モータ９６の逆転駆動により検出部中央９９Ｍに向けて移動し、一旦、開閉部材９２は水平姿勢つまり排出口閉塞姿勢となる。更に、逆転駆動によりナット部材９８は検出部右９９Ｒに向けて移動する。このとき、開閉部材９２は、左に傾斜し、該開閉部材９２は、一部排出口開放姿勢の状態となり、排出口７２の他方が開くようになるものである。
【００７１】
図８に示すように、下部貯留タンク７０は、一対の排出口７２に応じて一対の貯留領域を備えている。研磨揚送装置３０に１番目に近い下部貯留タンク７０の一対の貯留領域を研磨揚送装置３０に近い側から貯留領域１、貯留領域２とし、２番目に近い下部貯留タンク７０の一対の貯留領域を研磨揚送装置３０に近い側から貯留領域３、貯留領域４とし、３番目に近い下部貯留タンク７０の一対の貯留領域を研磨揚送装置３０に近い側から貯留領域５、貯留領域６とする。
【００７２】
なお、遊技機島１０の研磨揚送装置３０より右側半分についても、研磨揚送装置３０に１番目に近い下部貯留タンク７０の一対の貯留領域を研磨揚送装置３０に近い側から貯留領域７、貯留領域８とし、２番目に近い下部貯留タンク７０の一対の貯留領域を研磨揚送装置３０に近い側から貯留領域９、貯留領域１０とし、３番目に近い下部貯留タンク７０の一対の貯留領域を研磨揚送装置３０に近い側から貯留領域１１、貯留領域（計数貯留領域）１２とする。なお、これらのうち一部は図示省略する。
【００７３】
図１２に示すように、各貯留領域内の遊技球が遊技球用通路を通って排出口７２に導かれている場合に検知信号を出力する検出手段として、シャッター検出センサ９５が設けられている。貯留領域１、貯留領域２にそれぞれ係るシャッター検出センサ９５を第１シャッター検出センサ９５ａ、９５ｂとし、貯留領域３、貯留領域４にそれぞれ係るシャッター検出センサ９５を第２シャッター検出センサ９５ｃ、９５ｄとし、貯留領域５、貯留領域６にそれぞれ係るシャッター検出センサ９５を第３シャッター検出センサ９５ｅ、９５ｆとする。
【００７４】
なお、遊技機島１０の研磨揚送装置３０より右側半分についても、貯留領域７、貯留領域８にそれぞれ係るシャッター検出センサ９５を第４シャッター検出センサ９５ｇ、９５ｈとし、貯留領域９、貯留領域１０にそれぞれ係るシャッター検出センサ９５を第５シャッター検出センサ９５ｉ、９５ｊとし、貯留領域１１、計数貯留領域にそれぞれ係るシャッター検出センサ９５を第６シャッター検出センサ９５ｌおよび計数機用制御シャッター検出センサ９５ｍとする。なお、これらのうち一部は図示省略する。
【００７５】
これら１２個のシャッター検出センサ９５は、前述した補給球検出センサ５５、オーバーフロー検出センサ５７および上部貯留検出センサと同様に、それぞれ被検知物たる遊技球との距離に応じて動作する近接スイッチや磁気センサ等により構成されている。各シャッター検出センサ９５はそれぞれ信号線により制御手段１００に接続されている。遊技球用通路内を遊技球が流れていると断続してＯＮとなり、遊技球が滞留すると継続してＯＮとなり、遊技球が流れないとＯＦＦとなり、かかるＯＦＦ状態が２秒以上継続した際に、制御手段１００に対して貯留領域が空である旨の検知信号を出力するように設定されている。
【００７６】
制御手段１００は、電動モータ９６を制御し、開閉部材９２の堰部９２ａが排出口７２を開放動作し、貯留領域内の遊技球が空になるまで開放状態を継続し、シャッター検出センサ９５が制御手段１００に対して貯留領域が空である旨の検知信号を出力すると、電動モータ９６を制御し、開閉部材９２の堰部９２ａが排出口７２を閉塞動作するように制御する。
【００７７】
開閉装置９０は、上部貯留タンク３１内の遊技球が所定の貯留レベルより低くなると、６つの開閉装置９０の中で開放動作の履歴の古いものから優先的に開放されるものであり、６つの下部貯留タンク７０内の遊技球が下部貯留タンク７０の間で偏りなく研磨揚送装置３０で研磨されるようになり、遊技球が下部貯留タンク７０内で長期間滞留しないようにし、下部貯留タンク７０内における遊技球の錆の発生を防止することができるものである。
【００７８】
制御手段１００を構成するＥＥＰＲＯＭ（電気的消去書込可能な読出し専用メモリ）などの記憶部には、図１６に示すように、６つの開閉装置９０に関する開放動作の制御履歴が記録されている。具体的に、記録されている制御履歴は貯留領域１〜貯留領域（計数貯留領域）１２に係る開閉部材９２の制御履歴である。図１６ａにおいて、履歴履歴の古い貯留領域に係る開閉部材９２は、研磨揚送装置３０に３番目に近い下部貯留領域７０の貯留領域５、貯留領域６に係る開閉部材（玉回収制御第３シャッター）９２であるが、その開閉部材９２が開放動作し、所定条件下で閉塞動作し、開放動作が終了した場合には、制御履歴は更新され、図１６ｂに示すように、制御履歴の新しい貯留領域に係る開閉部材９２となり、制御履歴の古い貯留領域に係る開閉部材９２は、遊技機島１０の右側半分において、研磨揚送装置３０に３番目に近い下部貯留領域７０の貯留領域５、貯留領域６に係る開閉部材（玉回収制御第６シャッター）９２となる。
【００７９】
また、下部貯留タンク７０は、リサイクル材である木質複合材により構成すると良い。かかる木質複合材の内部に中空部を設けると共に、遊技球が接する内壁面に数多の小孔を形成して多孔面とすれば、下部貯留タンク７０の内部における音の共鳴を除去することができる。また、下部貯留タンク７０を含む遊技機島下部は、フロア面との間に下部空間を空けて配設されるから、遊技者が足を伸ばしてリラックスすることができる。さらに、遊技機島下部の下面側に沿って、遊技機島長手方向に並ぶように照明手段１７が配設されている。
【００８０】
次に、図１５に基づき、遊技球処理装置の制御パターンを説明する。上部貯留検出センサ３３Ｌからの検出信号の有無を判断して（ステップＳ１５０１）、ここで、上部貯留検出センサ３３Ｌからの検出信号を入力しない場合（ステップＳ１５０１：Ｎ）、上部貯留タンク３１への補給優先シャッターである開閉部材９２の選択を行い（ステップＳ１５０２）、優先された開閉部材９２を開く（ステップＳ１５０３）。次に、ベルトコンベア８１、８２の速度を高速にする（ステップＳ１５０４）。それにより、下部貯留タンク７０内の遊技球が移動装置８０の案内通路８３に流れ込み、ベルトコンベア８１、８２によって研磨揚送装置３０に移動し、上部貯留タンク３１に揚送される。
【００８１】
次に、上部貯留検出センサ３３Ｍからの検出信号の有無を判断して（ステップＳ１５０５）、上部貯留検出センサ３３Ｍからの検出信号を入力しない場合（ステップＳ１５０５：Ｎ）、シャッター検出センサ９５によって遊技球が検出されなければ（ステップＳ１５０６：Ｎ）、ステップＳ１５０５に戻り、シャッター検出センサ９５によって遊技球が検出されると（ステップＳ１５０６：Ｙ）、開閉部材９２を閉じ（ステップＳ１５０７）、ステップＳ１５０２に戻り、上部貯留タンク３１への補給優先シャッターである開閉部材９２の選択を行う。
【００８２】
一方、上部貯留検出センサ３３Ｍからの検出信号を入力した場合（ステップＳ１５０５：Ｙ）、開閉部材９２を閉じ（ステップＳ１５０８）、ベルトコンベア８１、８２の速度を低速にし（ステップＳ１５０９）、ステップＳ１５０１に戻り、上部貯留検出センサ３３Ｌからの検出信号の有無を判断する。
【００８３】
ステップＳ１５０１において、上部貯留検出センサ３３Ｌからの検出信号を入力した場合（ステップＳ１５０１：Ｙ）、上部貯留検出センサ３３Ｈからの検出信号の有無を判断する（ステップＳ１５１０）。上部貯留検出センサ３３Ｈからの検出信号を入力した場合（ステップＳ１５１０：Ｙ）、各オーバーフロー検出センサ５７からの検知信号の有無を検出する（ステップＳ１５１１）。次に、オーバーフロー検出センサ５７からの検知信号の入力がない搬送ユニット４１ａ、４１ｂ…において、その駆動モータ４９に給電してコイルバネ４５を回転駆動させる（ステップＳ１５１２）。
【００８４】
次に、上部貯留検出センサ３３Ｈからの検出信号の有無を判断する（ステップＳ１５１３）。ここで、上部貯留検出センサ３３Ｈからの検出信号を入力しない場合（ステップＳ１５１３：Ｎ）、駆動モータ４９への給電を停止してコイルバネ４５を回転を停止させ（ステップＳ１５１４）、ステップＳ１５０１に戻る。一方、上部貯留検出センサ３３Ｈからの検出信号を入力した場合（ステップＳ１５１３：Ｙ）、ステップＳ１５１２に戻り、駆動モータ４９に給電を継続してコイルバネ４５を継続して回転駆動させる。一方、ステップＳ１５１０において、上部貯留検出センサ３３Ｈからの検出信号を入力しない場合（ステップＳ１５１０：Ｎ）、ステップＳ１５０１に戻り、上部貯留検出センサ３３Ｌからの検出信号の有無を判断する。
【００８５】
以上、遊技球処理装置の制御パターンでは、ステップＳ１５０２において、上部貯留タンク３１への補給優先シャッターである開閉部材９２の選択を行うが、その詳細を図１７において説明する。また、ステップＳ１５１１〜Ｓ１５１４において、上部貯留検出センサ３３Ｈからの検出信号および、オーバーフロー検出センサ５７からの検知信号に基づき、駆動モータ４９に給電してコイルバネ４５を回転駆動させるか否かを示したが、その詳細を図１９および図２０で説明する。
【００８６】
次に、図１７に基づき、開閉装置９０の動作および、その動作により遊技球がどのようになるかについて説明する。上部貯留タンク３１内の遊技球が所定の貯留レベルより低くなると、それを上部貯留検出センサ３３Ｌが検知し、その検知信号が送られると、制御手段１００は、記憶部に記録されている制御履歴の中から、制御履歴の最も古い貯留領域に係る開閉部材（玉回収制御シャッター）９２を特定し（ステップＳ１７０１）、特定した開閉部材（玉回収制御シャッター）９２を制御する（ステップＳ１７０２）。
【００８７】
それにより、制御手段１００は、電動モータ９６を制御する。開閉部材９２が排出口閉塞姿勢にあるとき、ナット部材９８は、移動検出部９９ｃの検出部中央９９Ｍに位置し、電動モータ９６の正転駆動により、ナット部材９８がスクリュー部材９７上を検出部左９９Ｌに向けて移動する。このとき、開閉部材９２は右に傾斜し、開閉部材９２は一部排出口開放姿勢の状態となり、排出口７２の一方が開くようになる。次に、ナット部材９８は、電動モータ９６の逆転駆動により検出部中央９９Ｍに向けて移動し、一旦、開閉部材９２は水平姿勢つまり排出口閉塞姿勢となる。更に、逆転駆動によりナット部材９８は検出部右９９Ｒに向けて移動する。このとき、開閉部材９２は、左に傾斜し、該開閉部材９２は、一部排出口開放姿勢の状態となり、排出口７２の他方が開く。すなわち、開閉部材９２は最初水平状態つまり排出口閉塞姿勢の状態から一部排出口開放姿勢（開閉部材右傾斜）に移り、再度排出口閉塞姿勢の状態に戻り、更に一部排出口開放姿勢（開閉部材左傾斜）となる。これらの動作は制御信号が出力される間、繰り返される。
【００８８】
排出口７２が開かれると、貯留領域内の遊技球が、排出口７２から開閉部材９２内に一時的に受け入れられ、開閉部材９２の流出口９２ｆから本体ケース（流入部）９１の底部９１ａに一旦落ちて、本体ケース９１の連通口９１ｂから案内通路８３に流れ込む。排出口７２から遊技球が開閉部材９２、本体ケース（流入部）９１、案内通路８３の３つの段階を下るように流れるので、遊技球が案内通路８３に流れ込むときの衝撃が緩和される。
【００８９】
制御手段１００は、貯留領域内の遊技球が空になるまで開放状態を継続し、シャッター検出センサ９５が制御手段１００に対して貯留領域が空である旨の検知信号が出力されると（ステップＳ１７０３：Ｙ）、制御履歴を更新する（ステップＳ１７０４）。一方、貯留領域が空である旨の検知信号が出力されないと（ステップＳ１７０３：Ｎ）、制御履歴は更新されない（ステップＳ１７０５）。
【００９０】
また、貯留領域が空になると、電動モータ９６を制御する。開閉部材９２の堰部９２ａが排出口７２を閉塞動作するように制御する。電動モータ９６が始動して、スクリュー部材９７が例えば逆転し、ナット部材９８がスクリュー部材９７の回転軸方向に移動すると、動力伝達部材９９が開閉部材９２と一体的に揺動する。それにより、開閉部材９２が一部排出口開放姿勢から排出口閉塞姿勢に揺動する。
【００９１】
次に、図１８に基づき、玉計数機である景品球計数機２５の作動に関連して、主に開閉装置９０がどのように動作するかについて説明する。
【００９２】
景品球計数機２５が作動すると（ステップＳ１８０１：Ｙ）、優先された開閉部材（玉回収制御シャッター）９２を強制して閉じ（ステップＳ１８０２）、計数機用制御シャッターを開く（ステップＳ１８０３）。それにより、貯留領域（計数貯留領域）内の遊技球が遊技球移動装置８０の案内通路８３に流れ込む。また、景品球計数機２５が取り付けられた側（遊技機島１０の右側半分）のベルトコンベア８１、８２の速度が高速に制御される（ステップＳ１８０４）。それによって、景品計数機２５で処理された多量の遊技球が案内通路８３を通って研磨揚送装置３０に迅速に搬送される。
【００９３】
次に、景品球計数機２５の作動が停止すると（ステップＳ１８０５：Ｎ）、優先された開閉部材（玉回収制御シャッター）９２の強制を解除する（ステップＳ１８０６）。それにより、貯留領域が空になっていなければ、優先された開閉部材（玉回収制御シャッター）９２が再び開放動作し、貯留領域内の遊技球が案内通路８３に流れ込むようになる。貯留領域が空になっていれば、優先された開閉部材（玉回収制御シャッター）９２が再び開放動作することはない。次に、計数用シャッターが閉じられ（ステップＳ１８０７）、景品球計数機２５が取り付けられた側（遊技機島１０の右側半分）のベルトコンベア８１、８２の速度が低速に制御される（ステップＳ１８０８）。
【００９４】
次に、研磨揚送装置３０で研磨されつつ揚送された遊技球がどのように各遊技機に補給されるかについて説明する。図２に示す遊技機島１０において、研磨揚送装置３０で研磨されつつ揚送された遊技球は、この研磨揚送装置３０を起点として遊技機島上部の左右にそれぞれ延びる遊技球補給装置４０により、遊技機島長手方向に搬送されて各遊技機２０に補給される。研磨揚送装置３０から排出された球はそのまま上部貯留タンク３１に導入される一方、遊技球補給装置４０で、遊技機島長手方向に亘って遊技球が貯留した状態で搬送される。
【００９５】
上部貯留タンク３１内に始端側が連通している搬送手段４１が稼動すると、上部貯留タンク３１内の遊技球は搬送手段４１の上流側から取り込まれて、動力により強制的に各遊技機２０の上方に沿って遊技機島長手方向に搬送される。ここで搬送手段４１は、前述したように遊技機島１０の左右両側にそれぞれ３組ずつ延びる搬送ユニット４１ａ〜４１ｆに分かれており、図３に示すように、各搬送ユニット４１ａ，４１ｂ…は、それぞれ計８台の遊技機２０をグループ化した補給単位に対応する。それにより、個々の遊技機２０において実際必要な補給量に応じるように、遊技球を適切にきめ細かく各遊技機２０まで迅速に搬送することが可能となる。
【００９６】
各搬送ユニット４１ａ，４１ｂ…では、研磨揚送装置３０を起点として各遊技機２０の上方に沿って延びる搬送路４２内に、遊技球を多重に積層可能な状態で回転駆動するコイルバネ４５が内挿されており、駆動モータ４９によるコイルバネ４５の回転駆動により、遊技球は搬送路４２内で多重に積層した状態のまま遊技機島長手方向に搬送される。このように遊技球補給装置４０では、遊技機島長手方向に分散して貯留される遊技球がそのまま移動する。
【００９７】
各搬送ユニット４１ａ，４１ｂ…において、遊技機島長手方向に分散して配置される終端側まで遊技球が搬送されると、今度は補給手段５０によって、ちょうど下方付近に位置する補給単位の各遊技機２０に対して、動力を使うことなくスムーズに遊技球を分配して補給することができる。すなわち、コイルバネ４５の回転駆動に伴い搬送路４２の終端側まで移動した遊技球は、そのまま球出口部（図示省略）から落下して貯留部５１に導入される。
【００９８】
貯留部５１に一時貯留された遊技球は、底面部の傾斜により左右均等に振り分けられて、底面部の左右両端に連なり分岐して延びる一対の補給樋５２，５２に随時導入される。各補給樋５２は、その下方に位置する前後４台の遊技機１０の上方を通るように傾斜して延びており、補給樋５２を流下する遊技球は、補給シュート５３やジャバラ５４を介して真下に並ぶ各遊技機２０へ適宜補給される。それにより、遊技球を貯留した状態のまま動力で搬送した後、補給手段５０により、そのまま続けて各遊技機２０まで円滑に分配することができる。
【００９９】
補給手段５０の貯留部５１では、搬送された後の遊技球を各遊技機２０に分配する前に所定量貯留できるので、大当たり発生により急に各遊技機２０で遊技球が必要になった場合でも、搬送手段４１による搬送を待たずして各遊技機２０に迅速に遊技球を補給することが可能となる。ここで貯留部５１の容量はさほど大きくする必要はなく、遊技球を流下させる一対の補給樋５２，５２に対して、即座にある程度まとめて遊技球を供給できる程度であれば足りる。
【０１００】
また、一対の補給樋５２，５２も含めて貯留部５１が遊技球で満杯になった場合には、溢れ出る遊技球は貯留部５１の底面部より上方に積み重なり、オーバーフロー管５６の球入口（図示省略）にあるフランジを乗り越えるようにしてその内部へ落下し、このオーバーフロー管５６を介して下部貯留タンク７０まで円滑に還元される。
【０１０１】
次に、制御手段１００による各搬送ユニット４１ａ，４１ｂ…の稼動の制御について説明する。各搬送ユニット４１ａ，４１ｂ…の稼動により、それぞれの補給手段５０に遊技球が搬送されるが、補給手段５０から遊技機２０に補給する遊技球の量よりも、補給手段５０に搬送されてくる遊技球の量が上回れば、遊技球は一対の補給樋５２，５２の下端側から貯留部５１内にかけて徐々に滞留する。ここで各補給樋５２の上流側にある補給球検出センサ５５が継続してＯＮ状態になると、補給樋５２の球貯留量がいっぱいである旨の検知信号を出力する。一方、各補給樋５２の上流側に遊技球が滞留していなければ、補給球検出センサ５５は継続してＯＮ状態とならず検出信号を出力しない。
【０１０２】
図１９に示すように、制御手段１００は、各搬送ユニット４１ａ，４１ｂ…毎に、先ず貯留部５１の右側に延びる補給樋５２にある補給球検出センサ５５ａ，５５ｃ…からの検出信号の有無を判断して（ステップＳ１９０１）、何れかの搬送ユニット４１ａ，４１ｂ…で、補給球検出センサ５５ａ，５５ｃ…からの検出信号がなければ（ステップＳ１９０１；Ｎ）、当該搬送ユニット４１ａ，４１ｂ…の駆動モータ４９に給電して、コイルバネ４５を回転駆動させる（ステップＳ１９０３）。
【０１０３】
それにより、補給球検出センサ５５からの検出信号がない補給手段５０まで遊技球が滞りなく搬送され、貯留部５１ないし補給樋５２に安定して遊技球が供給される。ここで左右の補給樋５２のうち、何れか一方が遊技球でいっぱいであれば、遊技球は自然と遊技球が満たされていない方の補給樋５２に流れることになる。
【０１０４】
一方、総ての搬送ユニット４１ａ，４１ｂ…において、補給手段５０の右側に延びる補給樋５２にある補給球検出センサ５５ａ，５５ｃ…から検出信号が出力されている場合（ステップＳ１９０１；Ｙ）、次に制御手段１００は、同じく各搬送ユニット４１ａ，４１ｂ…毎に、今度は貯留部５１の左側に延びる補給樋５２にある補給球検出センサ５５ｂ，５５ｄ…からの検出信号の有無を判断して（ステップＳ１９０２）、何れかの搬送ユニット４１ａ，４１ｂ…で、補給球検出センサ５５ｂ，５５ｄ…からの検出信号がなければ（ステップＳ１９０２；Ｎ）、当該搬送ユニット４１ａ，４１ｂ…の駆動モータ４９に給電して、コイルバネ４５を回転駆動させる（ステップＳ１９０３）。
【０１０５】
総ての搬送ユニット４１ａ，４１ｂ…において、補給手段５０の左側に延びる補給樋５２の補給球検出センサ５５ａ，５５ｃ…からも検出信号が出力されている場合には、また最初のステップから繰り返されることになる。このように、総ての搬送ユニット４１ａ，４１ｂ…において、先ずは右側の補給樋５２における遊技球の貯留量を判断し、次に左側の補給樋５２における遊技球の貯留量を判断することにより、遊技機島１０の全体に亘る広い範囲でほぼ均等に遊技球を補給することができ、遊技機島上部における遊技球の貯留量が局所的に少なくなるような事態を防止することができる。
【０１０６】
以上のように、制御手段１００により、補給球検出センサ５５からの検知信号の入力がない場合、すなわち、補給樋５２に遊技球が所定量以上溜まっていない場合に搬送手段４１を稼動させることで、補給手段５０において遊技球が不足する事態を回避でき、急に各遊技機２０で遊技球が必要になった場合でも、常に遊技機２０に遊技球を安定して補給することが可能となる。
【０１０７】
また、前記検出手段５５からの検知信号の入力がある場合には、制御手段１００により、搬送手段４１の稼動を完全に停止させても良く、あるいは所定時間おきに間欠的に稼動させたり、他の要因に応じて一時的にだけ稼動するように設定してもかまわない。なお、補給手段５０で、左右の補給樋５２も含めて貯留部５１が遊技球で満杯になった際には、該貯留部５１から溢れ出る遊技球は、オーバーフロー管５６によって下部貯留タンク７０まで円滑に還元される。
【０１０８】
さらにまた、制御手段１００は、前述した補給球検出センサ５５からの検知信号に基づく搬送手段４１の稼動の制御に加えて、上部貯留検出センサ３３のうち最上位にある上部貯留検出センサ３３Ｈからの検知信号や、オーバーフロー検出センサ５７からの検知信号に基づいて、以下のようにも搬送手段４１の稼動を制御するようになっている。
【０１０９】
すなわち、図２０に示すように、制御手段１００は、上部貯留検出センサ３３Ｈからの検出信号の有無を判断して（ステップＳ２００１）、ここで上部貯留検出センサ３３Ｈからの検出信号を入力した場合（ステップＳ２００１；Ｙ）、各搬送ユニット４１ａ，４１ｂ…毎に対応したオーバーフロー検出センサ５７からの検知信号の有無を判断する（ステップＳ２００２）。そして、オーバーフロー検出センサ５７からの検知信号の入力がない搬送ユニット４１ａ，４１ｂ…において、その駆動モータ４９に給電してコイルバネ４５を回転駆動させる（ステップＳ２００３）。
【０１１０】
再び、上部貯留検出センサ３３Ｈからの検出信号の有無を判断して（ステップＳ２００４）、ここで上部貯留検出センサ３３Ｈからの検出信号を入力した場合（ステップＳ２００４；Ｙ）、オーバーフロー検出センサ５７からの検知信号の入力がない搬送ユニット４１ａ，４１ｂ…において、その駆動モータ４９に給電してコイルバネ４５を回転駆動させる（ステップＳ２００３）。
【０１１１】
一方、上部貯留検出センサ３３Ｈからの検出信号の入力がなくなると（ステップＳ２００４；Ｎ）、稼動中の搬送ユニット４１ａ，４１ｂ…において、その駆動モータ４９への給電を停止してコイルバネ４５の回転を停止させる（ステップＳ２００５）。それにより、遊技機島上部における遊技球の貯留分布を、偏在することなくバランス良く分散した状態に維持することができる。
【０１１２】
次に、遊技機島１０において、アウト遊技球、および遊技機島上部から溢れた遊技球がどのように処理されるかについても説明する。遊技機島１０の各遊技機２０から排出されたアウト遊技球は、アウト遊技球回収器２０１からアウト遊技球計数器２０２に流れる。アウト遊技球計数器２０２で計数されたアウト遊技球は、流路管２７を通って遊技球移動装置８０に流れ込む。
【０１１３】
開閉装置９０が閉じ状態にあるとき、遊技球移動装置８０のベルトコンベア８１，８２は低速で運転されている。それにより、アウト遊技球を研磨揚送装置３０に移送することができる。研磨揚送装置３０でアウト遊技球は研磨されながら上部貯留タンク３１に揚送される。上部貯留タンク３１内の遊技球が所定の貯留レベルより低くなると、６つの開閉装置９０の中で開放履歴の古いものが開放される。開閉装置９０が開放されると、ベルトコンベア８１，８２は制御手段１００によって低速から高速で運転される。開閉装置９０が開放状態にあるため、下部貯留タンク７０内の遊技球が遊技球移動装置８０に流れ込む。
【０１１４】
アウト遊技球は、流路管２７を通って遊技球移動装置８０に流れ込むようになっているので、優先的にアウト遊技球および下部貯留タンク７０内の遊技球を滞留することなく、研磨揚送装置３０に移送することができる。アウト遊技球および下部貯留タンク７０内の遊技球は研磨揚送装置３０により研磨されながら上部貯留タンク３１に揚送される。上部貯留タンク３１が所定の貯留レベルに達すると、開閉装置９０は閉じ動作し、ベルトコンベア８１，８２は制御手段１００によって高速から低速で運転され、アウト遊技球のみを研磨揚送装置３０へ移送するようになる。
【０１１５】
次に、遊技球がオーバーフロー管５６を介して下部貯留タンク７０にどのように還元されるかについて説明する。オーバーフロー管５６を通った遊技球は、下部貯留タンク７０の開口を通って下部貯留タンク７０内に流れ込む。下部貯留タンク７０の下方に案内通路８３が配されているので、オーバーフロー管５６を通った遊技球は、案内通路８３を障害物とすることなく、下部貯留タンク７０内に偏りなく流れ込む。下部貯留タンク７０に遊技球を流し込み難く実質的に貯留できない非貯留領域が生じないので、下部貯留タンク７０の貯留領域を実質的に減少させることがない。
【０１１６】
次に、遊技機島１０において、アウト遊技球および、下部貯留タンク７０に還元された遊技球がどのように処理されるかについて説明する。遊技機島１０の各遊技機２０から排出されたアウト遊技球は、アウト遊技球回収器２０１からアウト遊技球計数器２０２に流れる。アウト遊技球計数器２０２で計数されたアウト遊技球は、流路管２７を通って遊技球移動装置８０に流れ込む。流路管２７が遊技球移動装置８０の案内通路８３に連結されることで、流路管２７を流れるアウト遊技球の全部が漏れなく遊技球移動装置８０の案内通路８３に流れるようになる。
【０１１７】
このとき、アウト遊技球は、案内通路８３の側方から案内通路８３内の流入ステージ８３ｄに流れ込むので、アウト遊技球が案内通路８３の流入ステージ８３ｄに衝突するときに発生する音が低下する。流入ステージ８３ｄ上のアウト遊技球は、案内通路８３の底部８３ａに沿って配策されたベルトコンベア８１、８２上に落下する。
【０１１８】
開閉装置９０が閉じ状態にあるとき、遊技球移動装置８０のベルトコンベア８１、８２は低速で運転されている。それにより、アウト遊技球を研磨揚送装置３０に移送することができる。研磨揚送装置３０でアウト遊技球は研磨されながら上部貯留タンク３１に揚送される。上部貯留タンク３１内の遊技球が所定の貯留レベルより低くなると、それを上部貯留検出センサ３３Ｌが検知し、その検知信号に基づいて、６つの開閉装置９０の中で開放履歴の古いものが開放される。開閉装置９０が開放されると、ベルトコンベア８１、８２は低速から高速で運転される。開閉装置９０が開放状態にあるため、下部貯留タンク７０内の遊技球が遊技球移動装置８０の案内通路８３に流れ込む。
【０１１９】
アウト遊技球は、流路管２７を通って遊技球移動装置８０の案内通路８３に流れ込むようになっているので、アウト遊技球および下部貯留タンク７０内の遊技球を滞留することなく、研磨揚送装置３０に移送することができる。アウト遊技球および下部貯留タンク７０内の遊技球は研磨揚送装置３０により研磨されながら上部貯留タンク３１に揚送される。上部貯留タンク３１が所定の貯留レベルに達すると、上部貯留検出センサ３３Ｈからの検知信号に基づいて、開閉装置９０は閉じ動作し、ベルトコンベア８１、８２は高速から低速で運転され、アウト遊技球のみを研磨揚送装置３０へ移送するようになる。
【０１２０】
以上、本発明の実施の形態を図面によって説明てきたが、具体的な構成は前述した実施の形態に限られるものではなく、本発明の要旨を逸脱しない範囲における変更や追加があっても本発明に含まれる。
【０１２１】
前記実施の形態においては、貯留領域として下部貯留タンク７０を２つの領域に分けたものを示したが、これに限らず、３以上の貯留領域に分けたものであってもよい。この場合に、排出口７２を貯留領域の数に応じて設ける必要がある。また、貯留領域として下部貯留タンク７０に限らず、遊技機島１０内のどのような場所にあってもよく、遊技球が貯留される領域であれば、どのような形状や構造のものであってもよい。
【０１２２】
【発明の効果】
本発明に係る遊技球処理装置によれば、制御手段によって搬送手段および開閉部材をそれぞれ制御することで、上部貯留タンク内の遊技球を増加、減少させるようにしたので、上部貯留タンク内の遊技球を過不足しないように維持することができ、上部貯留タンクを大型にしなくても、各遊技機への遊技球の補給を余裕をもって行うことができ、また、中継タンクのような部品が不要になり、コストを低減することができる。
【０１２３】
また、制御手段が検出手段からの信号に基づき、搬送手段の稼動を制御するようにしたので、遊技球の貯留状態に鑑みて搬送を適切に制御することが可能となり、遊技球の滞留や供給過剰それに搬送手段の無駄な駆動を防ぐと共に、遊技球を効率良く迅速に各遊技機に補給することができる。さらに、下部貯留タンク内の遊技球を各遊技機に補給するために、下部貯留タンク内の遊技球を下部貯留タンク外へ導く場合に、制御手段が制御履歴の最も古い開閉部材を開放するようにしたので、遊技球が下部貯留タンク内に長く留まることがなく、各遊技機で有効に使用され、下部貯留タンク内で遊技球が錆びたり腐食したりすることを防止することができる。
【図面の簡単な説明】
【図１】本発明の一実施の形態に係る遊技球処理装置を設置した遊技機島を示す縦断面図である。
【図２】本発明の一実施の形態に係る遊技球処理装置を設置した遊技機島を一部破断して示す正面図である。
【図３】本発明の一実施の形態に係る遊技球補給装置を設置した遊技機島を一部破断して示す平面図である。
【図４】本発明の一実施の形態に係る遊技球補給装置を設置した遊技機島の片側半分を一部破断して拡大して示す平面図である。
【図５】本発明の一実施の形態に係る遊技球補給装置の第１搬送ユニットの要部を拡大して示す正面図である。
【図６】本発明の一実施の形態に係る遊技球補給装置の第２搬送ユニットの要部を拡大して示す正面図である。
【図７】本発明の一実施の形態に係る遊技球補給装置の第３搬送ユニットの要部を拡大して示す正面図である。
【図８】本発明の一実施の形態に係る遊技機島に設けた各種センサの配置を示す説明図である。
【図９】本発明の一実施の形態に係る遊技球移動装置を開閉装置の近傍で破断して示す横断面図である。
【図１０】本発明の一実施の形態に係る遊技球移動装置の中間部を省略して示した正面図である。
【図１１】本発明の一実施の形態に係る遊技球移動装置の中間部を省略して示した平面図である。
【図１２】本発明の一実施の形態に係る遊技球用通路の開閉装置の装着状態を示す正面図であり、（ａ）は一対の排出口がそれぞれ閉じられたときの図、（ｂ）は一対の排出口の一方が開放されたときの図、（ｃ）は、一対の排出口の他方が開放されたときの図である。
【図１３】本発明の一実施の形態に係る遊技球用通路の開閉装置の装着状態を示す平面図である。
【図１４】本発明の一実施の形態に係る遊技球用通路の開閉装置を破断して示す断面図である。
【図１５】本発明の一実施の形態に係る遊技球処理装置による制御パターンを説明するフロー図である。
【図１６】本発明の一実施の形態に係る遊技球処理装置の制御手段が開閉部材を制御した制御履歴を示す説明図である。
【図１７】本発明の一実施の形態に係る遊技球処理装置において、制御手段が制御履歴に基づいて開閉部材を制御するときの流れを示すフロー図である。
【図１８】本発明の一実施の形態に係る遊技球処理装置において、景品球計数機が作動した場合に、制御手段が開閉部材を制御するときの手順を示すフロー図である。
【図１９】本発明の一実施の形態に係る遊技球補給装置の制御手段による搬送手段の一の稼動制御パターンを説明するフロー図である。
【図２０】本発明の一実施の形態に係る遊技球補給装置の制御手段による搬送手段の別の稼動制御パターンを説明するフロー図である。
【符号の説明】
１０…遊技機島
１０ａ…島枠
１１…筐体フレーム
１２…天板
１２ａ…隙間
１３…島木
１４…幕板
１５…呼出ランプ
１６…データ収集装置
１７…照明手段
２０…遊技機
２０ａ…ハンドル部
２１…球貸機
２２…紙幣搬送装置
２３…硬貨搬送装置
２４…金庫
２５…景品球計数機
２６…景品球投入口
２７…流路管
３０…研磨揚送装置
３０ａ…球導入口
３１…上部貯留タンク
３３Ｈ…上部貯留検出センサ
３３Ｌ…上部貯留検出センサ
３３Ｍ…上部貯留検出センサ
３５…傾斜部材
４０…遊技球補給装置
４１…搬送手段
４２…搬送路
４３…球入口部
４４…球出口部
４５…コイルバネ
４６…ワイヤー
４７…始端末ブラケット
４８…終端末ブラケット
４９…駆動モータ
５０…補給手段
５１…貯留部
５２…補給樋
５３…補給シュート
５４…ジャバラ
５５…補給球検出センサ
５６…オーバーフロー管
５６ａ…球入口
５７…オーバーフロー検出センサ
５８…賞球タンク
７０…下部貯留タンク
７１…底部
７２…排出口
７３…圧力部材
７５…フランジ部
８０…遊技球移動装置
８１、８２…ベルトコンベア
８３…案内通路
８３ａ…底部
８３ｂ…側壁部
８３ｃ…ホルダー部材
８３ｄ…流入ステージ
８３ｅ…仕切壁
８４…原動プーリ
８５…従動プーリ
８５ａ…回転軸
８５ｂ…位置調整手段
８６…テンションプーリ
８７…駆動モータ
８８…出力プーリ
８９…伝達ベルト
９０…開閉装置
９１…本体ケース（流入部）
９１ａ…底部
９１ｂ…連通口
９１ｃ…枢軸
９２…開閉部材
９２ａ…堰部
９２ｂ…底部
９２ｃ…側壁
９２ｄ…正面壁
９２ｅ…背面壁
９２ｆ…流出口
９５…シャッター検出センサ
９５ａ、９５ｂ…第１シャッター検出センサ
９５ｃ、９５ｄ…第２シャッター検出センサ
９５ｅ、９５ｆ…第３シャッター検出センサ
９５ｇ、９５ｈ…第４シャッター検出センサ
９５ｉ、９５ｊ…第５シャッター検出センサ
９５ｌ…第６シャッター検出センサ
９５ｍ…計数機用制御シャッター
９６…電動モータ
９７…スクリュー部材
９８…ナット部材
９８ａ…被係合溝
９９…動力伝達部材
９９ａ…動力伝達部材の基端部
９９ｂ…動力伝達部材の先端部
９９ｃ…移動検出部
９９Ｍ…検出部中央
９９Ｌ…検出部左
９９Ｒ…検出部右
１００…制御手段
２０１…アウト遊技球回収器
２０２…アウト遊技球計数器
【図１】
2005052206.tif 000003
【図２】
2005052206.tif 000004
【図３】
2005052206.tif 000005
【図４】
2005052206.tif 000006
【図５】
2005052206.tif 000007
【図６】
2005052206.tif 000008
【図７】
2005052206.tif 000009
【図８】
2005052206.tif 000010
【図９】
2005052206.tif 000011
【図１０】
2005052206.tif 000012
【図１１】
2005052206.tif 000013
【図１２】
2005052206.tif 000014
【図１３】
2005052206.tif 000015
【図１４】
2005052206.tif 000016
【図１５】
2005052206.tif 000017
【図１６】
2005052206.tif 000018
【図１７】
2005052206.tif 000019
【図１８】
2005052206.tif 000020
【図１９】
2005052206.tif 000021
【図２０】
2005052206.tif 000022